(57)【要約】【課題】  夜間のスピーカ音声による騒音を防止しつつ、音声機能の本来の効果を維持できるリモコンシステムを提供する。【解決手段】  被制御機器を制御する複数のリモコンを備えるリモコンシステムであって、各リモコンはスピーカを備え、各リモコンのスピーカ音量を所定の減音時間帯では通常時の音量よりも減音するものにおいて、減音時間帯と、減音時間帯内での音量とをリモコン毎に個別に設定可能な設定手段を備える。【選択図】  図３
2005151201.tif 000002
【特許請求の範囲】
【請求項１】
被制御機器を制御する複数のリモコンを備えるリモコンシステムであって、
各リモコンはスピーカを備え、各リモコンのスピーカ音量を所定の減音時間帯では通常時の音量よりも減音するものにおいて、
減音時間帯と、減音時間帯内での音量とをリモコン毎に個別に設定可能な設定手段を備えることを特徴とするリモコンシステム。
【請求項２】
被制御機器を制御する複数のリモコンを備えるリモコンシステムであって、
各リモコンはスピーカを備え、各リモコンのスピーカ音量を所定の減音時間帯では通常時の音量よりも減音するものにおいて、
複数のリモコンのうちの任意のリモコンを指定可能な指定手段と、
指定手段により指定されたリモコンが減音時間帯に入っているときには、指定されたリモコンのスピーカ音量を減音時間帯での設定音量より増音する増音手段とを備えることを特徴とするリモコンシステム。
【請求項３】
前記増音手段により増音されたリモコンのスピーカ音量を、増音されてから所定時間経過後に減音時間帯での設定音量に戻す復帰手段を備えることを特徴とする請求項２記載のリモコンシステム。
【請求項４】
異常発生を報知する報知手段を備え、
報知手段は、前記減音時間帯において異常発生を報知するときは、リモコンのスピーカ音量を減音時間帯での設定音量より増音して報知することを特徴とする請求項１ないし３の何れか１項に記載のリモコンシステム。
【発明の詳細な説明】
【技術分野】
【０００１】
本発明は、給湯器等の被制御機器を制御する複数のリモコンを備え、各リモコンにはスピーカが設けられているリモコンシステムに関する。
【背景技術】
【０００２】
従来、給湯器用のリモコンシステムとして、浴室、台所、洗面所等の複数箇所に設置した複数のリモコンにより給湯器を制御するようにしたものが知られている。また、各リモコンにスピーカを設け、スピーカから出力される音声によって、ユーザに被制御機器（給湯器）の設定状態や実施状態の伝達および異常の報知などを行うようにしたものも知られている。
【０００３】
このように、リモコンにスピーカを設ける場合、昼間では問題ないスピーカ音量が、夜間では隣近所まで響く音量となり、近所迷惑になることがある。
【０００４】
ところで、リモコンで制御する空気調和機であって、リモコンからの信号を空気調和機の受信部が受信したときに、受信の確認をブザーで報知するようにしたものにおいて、ブザーの音量を夜間には昼間よりも減音するようにしたものが知られている。（例えば、特許文献１参照）。
【０００５】
この空気調和機のブザー音量を夜間に減音する技術を、被制御機器を制御する複数のリモコンを備え、各リモコンにはスピーカが設けられているリモコンシステムに適用し、夜間等の予め設定した減音時間帯に入ったときに、被制御機器に設けられたメインコントローラから各リモコンへ減音指令を伝送し、全てのリモコンのスピーカ音量を所定の小音量に減音することが考えられる。然し、これでは以下の不具合を生ずる。
【０００６】
即ち、例えば浴室に設置されたリモコンのスピーカから出力される音声は、シャワーなどを使っている音に掻き消されて、聞き取りにくくなる。そのため、減音時間帯には、浴室に設置されたリモコンでは、入浴している人に対して、リモコンのスピーカから出力された音声内容を明確に伝達できなくなり、音声機能が本来の役割を果たせないという問題が起こる。
【０００７】
逆に、減音時間帯でのスピーカ音量を、シャワーを使用している状態でも聞こえる程度の音量までしか下げないとすると、例えば、台所や洗面所等に設置された他のリモコンのスピーカ音量が必要以上に大きくなることとなり、騒音防止効果が発揮されない。
【特許文献１】特開平７−３５３９８号公報（第２−３頁、第１図）
【発明の開示】
【発明が解決しようとする課題】
【０００８】
本発明は上記背景を鑑みてなされたものであり、夜間のスピーカ音声による騒音を防止しつつ、音声機能の本来の効果を維持できるリモコンシステムを提供することを目的とする。
【課題を解決するための手段】
【０００９】
上記目的を達成するため、本発明のリモコンシステムは、被制御機器を制御する複数のリモコンを備えるリモコンシステムであって、各リモコンはスピーカを備え、各リモコンのスピーカ音量を所定の減音時間帯では通常時の音量よりも減音するものにおいて、減音時間帯と、減音時間帯内での音量とをリモコン毎に個別に設定可能な設定手段を備えることを特徴とする。
【００１０】
各リモコンの設置環境により、部屋の壁の厚さや、隣近所までの距離などが異なるため、騒音を防止する為に必要な最大限のスピーカ音量は異なる。また、各リモコンの設置環境により、例えば浴室では、シャワーを使用することにより周辺の騒音が高く、逆に、例えば台所や洗面所では周辺の騒音は低いため、使用者が聞き取ることができる最低限のスピーカ音量は異なる。
【００１１】
上記構成によれば、設定手段により各リモコンの設置環境に合わせて減音時間帯内でのスピーカ音量を設定することができるため、例えば、浴室に設置されたリモコンについては、減音時間帯におけるスピーカから出力される音声の設定音量を他のリモコンと比較して大きく設定し、台所や洗面所などの他の場所に設置されたリモコンについては、減音時間帯におけるスピーカから出力される音声の設定音量を小さく設定することができる。このため、騒音防止機能を維持しつつ、音声機能の本来の役割を果たせるリモコンシステムを提供することができる。
【００１２】
また、各リモコンの設置場所によって、ユーザが各リモコンの設置場所付近に居る時間帯が異なる。上記構成によれば、設定手段によりユーザが各リモコンの設置場所付近に居ない時間帯も考慮して減音時間帯をリモコン毎に個別に設定できるようになり、より騒音防止を図ることができ、さらにスピーカ音量が減音される時間帯が増えることにより消費電力を削減することができる。
【００１３】
また上記目的は、被制御機器を制御する複数のリモコンを備えるリモコンシステムであって、各リモコンはスピーカを備え、各リモコンのスピーカ音量を所定の減音時間帯では通常時の音量よりも減音するものにおいて、複数のリモコンのうちの任意のリモコンを指定可能な指定手段と、指定手段により指定されたリモコンが減音時間帯に入っているときには、指定されたリモコンのスピーカ音量を減音時間帯での設定音量より増音する増音手段とを備えることを特徴とするリモコンシステムによっても達成することができる。
【００１４】
かかる構成によれば、減音時間帯に入っているときに、例えば、浴室に設置されたリモコンのスピーカ音声がシャワーなどの音に掻き消されて聞き取り難い場合は、指定手段で浴室に設置されたリモコンを指定して、指定した浴室のリモコンのスピーカ音量を、増音手段により浴室で聞き取り易い音量に増音することにより、音声機能の本来の効果を維持できる。この場合、指定手段により指定されていない他のリモコンのスピーカ音量は、減音されたままであるため、騒音防止を図ることもできる。
【００１５】
なお、前記リモコンシステムは、前記増音手段により増音されたリモコンのスピーカ音量を、増音されてから所定時間経過後に減音時間帯での設定音量に戻す復帰手段を備えることが好ましい。
【００１６】
これにより、指定手段により指定したリモコンのスピーカ音量を大きくしたままで、音量を下げることをユーザが忘れた場合でも、復帰手段により自動的に元の減音時間帯での設定音量に戻すことができ、より騒音を防止し、かつ、消費電力の削減を図ることができる。
【００１７】
また、前記リモコンシステムは、異常発生を報知する報知手段を備え、報知手段は、前記減音時間帯において異常発生を報知するときは、リモコンのスピーカ音量を減音時間帯での設定音量より増音して報知することが好ましい。
【００１８】
減音時間帯においては、スピーカ音量が減音されているため、ユーザが異常の発生を報知するスピーカ音声を聞き漏らすおそれもある。上記構成によれば、報知手段によりスピーカ音量を増音して異常の発生を報知するため、ユーザが報知を聞き取れる範囲が広がる。このため、異常の発生をユーザへ報知しやすくなり、迅速に対処しやすくなる。
【発明を実施するための最良の形態】
【００１９】
本発明の実施の形態を図１から図７を参照して説明する。図１は本実施形態の全体構成を示す模式図、図２はリモコンを示す説明図、図３は減音時間帯である場合と減音時間帯でない場合の各リモコンのスピーカ音量の制御を示すフローチャート、図４は各リモコンの減音時間帯とスピーカ音量とを設定する制御を示したフローチャート、図５は減音時間帯におけるリモコンのスピーカ音量を増音する制御を示すフローチャート、図６は減音時間帯におけるリモコンのスピーカ音量を増音した場合の音量変化の一例を示した説明図、図７は減音時間帯における異常発生時のスピーカ音量を増音する制御を示すフローチャートである。
【００２０】
図１に示すように、本発明の実施形態のリモコンシステム１は、被制御機器としての給湯器２と、台所に設置された台所リモコン３１と、浴室に設置された浴室リモコン３２と、洗面所に設置された洗面所リモコン３３とを備える。給湯器２はメインコントローラ２１を内蔵している。また、各リモコン３１，３２，３３はいずれも図示しないマイクロコンピュータを内蔵しており、各リモコン３１，３２，３３、およびメインコントローラ２１相互間で通信制御自在に接続されている。そして、各リモコン３１，３２，３３によりメインコントローラ２１を介して給湯器２が運転制御される。
【００２１】
各リモコン３１，３２，３３は、図２に示すように、液晶画面３ａと、メニューボタン３ｂと、切替／決定ボタン３ｃと、ＵＰボタン３ｄと、ＤＯＷＮボタン３ｅと、緊急ボタン３ｆと、スピーカ３ｇと、マイク３ｈとをそれぞれ備える。
【００２２】
メニューボタン３ｂを押すと、液晶画面３ａに給湯温度、風呂温度、風呂湯量、スピーカ音量等の各種項目を含むメニュー一覧が表示され、ＵＰボタン３ｄ、ＤＯＷＮボタン３ｅで所定の項目を選択して切替／決定ボタン３ｃを押すと、対応する項目の設定画面が表示される。そして、設定画面でＵＰボタン３ｄ、ＤＯＷＮボタン３ｅを操作することにより、対応する項目の設定及び変更を行うことができる。
【００２３】
また、本実施形態の各リモコン３１，３２，３３は、スピーカ３ｇから出力される音声によって、ユーザに給湯器２の設定状態や実施状態の伝達および異常の報知などを行う。さらに、各リモコン３１，３２，３３は、スピーカ３ｇとマイク３ｈと図示しない操作ボタンとにより、リモコン相互間において通話自在に構成されている。なお、この通話方式は相方向通話方式でも切替通話方式でもよい。
【００２４】
また、本実施形態のリモコンシステム１は、切替／決定ボタン３ｃを押すことにより、リモコン毎に設定された減音時間帯にリモコン毎に設定されたスピーカ音量（設定音量）に減音する減音モードと、２４時間通常のスピーカ音量となる通常モードとを切り換えることができる。
【００２５】
次に、図３を参照して、本実施形態におけるリモコンシステム１の各リモコン３１，３２，３３のスピーカ音量の制御方法について説明する。
【００２６】
図３に示すように、メインコントローラ２１は、ＳＴＥＰ１において、減音モードに設定されていることを確認すると、ＳＴＥＰ２へ進み、台所リモコン３１が現在減音時間帯であるか否かを判断する。減音時間帯である場合には、ＳＴＥＰ３に進み、メインコントローラ２１は、台所リモコン３１のスピーカ音量を、設定された減音時間帯のスピーカ音量（設定音量）に減音する。減音時間帯でない場合には、ＳＴＥＰ４に進み、メインコントローラ２１は、台所リモコン３１のスピーカ音量を、設定された通常のスピーカ音量に設定する。
【００２７】
以下同様に、ＳＴＥＰ５からＳＴＥＰ１０において、浴室リモコン３２と洗面所リモコン３３とのスピーカ音量を設定する。
【００２８】
なお、ＳＴＥＰ１において、メインコントローラ２１が減音モードではなく通常モードが選択されていることを確認した場合は、ＳＴＥＰ１１に進み、メインコントローラ２１は、各リモコン３１，３２，３３のスピーカ音量を、各リモコン３１，３２，３３に設定された通常のスピーカ音量に設定する。また、本実施形態においては、図３に示すフローチャートの処理を所定のサイクルタイムで実行する。
【００２９】
次に図４を参照して、各リモコン３１，３２，３３の減音時間帯の設定と減音時間帯のスピーカ音量（設定音量）とを設定する制御について説明する。
【００３０】
まず、ＳＴＥＰ２１において、ユーザは、メニューボタン３ｂを押して液晶画面３ａにメニュー画面を表示させ、メニュー画面内に表示される一覧から「減音設定」を選択する。すると液晶画面３ａに減音設定の画面（図２参照）が表示され、この画面内に各リモコン３１，３２，３３の一覧が表示される。ＳＴＥＰ２２において、ユーザが設定したいリモコンをＵＰボタン３ｄまたはＤＯＷＮボタン３ｅを押して減音設定の画面内から選択すると、ＳＴＥＰ２３に進み、選択したリモコンの減音時間帯の開始時間を設定することができる。減音時間帯の開始時間を設定すると、ＳＴＥＰ２４に進み、ユーザは、減音時間帯の終了時間を設定することができる。
【００３１】
減音時間帯の終了時間を設定すると、ＳＴＥＰ２５に進み、ユーザは、減音時間帯でのスピーカ音量（設定音量）を設定することができる。減音時間帯でのスピーカ音量（設定音量）を設定すると、ＳＴＥＰ２６に進み、メインコントローラ２１は、液晶画面３ａに、他のリモコンも「設定する」、「設定しない」の２択の選択画面を表示させる。ユーザが「設定する」を選択するとＳＴＥＰ２２に戻り、他のリモコンも設定することができる。ユーザが「設定しない」を選択すると、減音設定を終了する。本実施形態においては、図４に示すＳＴＥＰ２１〜ＳＴＥＰ２６が設定手段に該当する。
【００３２】
なお、減音時間帯以外の時間帯である通常時のスピーカ音量は、以下の如く設定される。即ち、メニューボタン３ｂを押して液晶画面３ａにメニュー画面を表示させ、メニュー画面内に表示される一覧から「音量設定」を選択することにより、リモコン毎に通常時のスピーカ音量を設定する。
【００３３】
次に、図５を参照しながら、減音時間帯におけるリモコンのスピーカ音量を増音する制御について説明する。なお、図５においては、リモコン毎に設定された減音時間帯にリモコン毎に設定されたスピーカ音量（設定音量）に減音する減音モードが選択されているものとして説明する。
【００３４】
まず、ＳＴＥＰ３１において、ユーザは、メニューボタン３ｂを押して液晶画面３ａにメニュー画面を表示させ、メニュー画面内に表示される一覧から「音量変更」を選択する。すると、液晶画面３ａに音量変更の画面が表示され、音量変更の画面内に各リモコン３１，３２，３３の一覧が表示される。次いで、ＳＴＥＰ３２に進み、ユーザはＵＰボタン３ｄ、ＤＯＷＮボタン３ｅにより音量変更したいリモコンを選択する。
【００３５】
次いで、ＳＴＥＰ３３に進み、メインコントローラ２１は、選択されたリモコンが現在減音時間帯であるか否かを判断する。選択されたリモコンが現在減音時間帯でない場合には、メインコントローラ２１は、液晶画面３ａに「選択されたリモコンは現在減音されておりません。」と表示させて今回の処理を終了する。
【００３６】
選択されたリモコンが現在減音時間帯である場合には、ＳＴＥＰ３４に進み、メインコントローラ２１は液晶画面３ａに増音設定の画面を表示させる。ここで、ユーザが希望するスピーカ音量を設定することにより、選択されたリモコンのスピーカ音量が増音される。なお、スピーカ音量を増音しすぎないように通常時のスピーカ音量以上には増音できないようにしてもよい。また、ＳＴＥＰ３４を省略し、選択されたリモコンのスピーカ音量を所定の音量、例えば減音時間帯での設定音量より一定量増音した音量、または、通常時の音量に増音するようにしてもよい。
【００３７】
次いで、ＳＴＥＰ３５に進み、メインコントローラ２１は、選択されたリモコンのスピーカ音量が増音されてから、所定時間（例えば、２分）が経過したか否かを判断する。所定時間が経過している場合は、ＳＴＥＰ３６に進み、メインコントローラ２１は、選択されたリモコンのスピーカ音量を減音時間帯でのスピーカ音量（設定音量）に戻す。そして、今回の処理を終了する。本実施形態においては、ＳＴＥＰ３１〜ＳＴＥＰ３２が指定手段、ＳＴＥＰ３３〜ＳＴＥＰ３４が増音手段、ＳＴＥＰ３５〜ＳＴＥＰ３６が復帰手段に該当する。
【００３８】
次に、図５のフローチャートのスピーカ音量の増音制御について、一例を挙げて詳細に説明する。ここで、本実施形態においては、スピーカ音量はレベル０〜５の６段階に設定可能であり、レベル０は消音、レベル５は最大音量を示す。
【００３９】
まず、図２に示す液晶画面３ａ内に表されるように、台所リモコン３１の減音時間帯の開始時間は２０時、終了時間は８時、減音時間帯でのスピーカ音量（設定音量）はレベル３、通常時のスピーカ音量はレベル４に設定されている。また、浴室リモコン３２の減音時間帯の開始時間は２０時、終了時間は９時、減音時間帯でのスピーカ音量（設定音量）はレベル４、通常時のスピーカ音量はレベル５に設定されている。また、洗面所リモコン３３の減音時間帯の開始時間は２０時、終了時間は８時、減音時間帯でのスピーカ音量（設定音量）はレベル２、通常時のスピーカ音量はレベル３に設定されている。本実施形態では、ユーザが、朝の９時までは浴室にいる可能性が少ないと判断したため、浴室リモコン３２の減音時間帯の終了時間を、他の台所リモコン３１、洗面所リモコン３３と比較して１時間長い９時に設定している。
【００４０】
ここで、台所にいるユーザが、２２時にリモコンシステム１を使用して入浴中の家族と通話を試みたが、浴室リモコン３２のスピーカ音声はシャワーの音に掻き消されて、入浴中の家族の耳には届かず、返事がなかった。ユーザは、図５のフローチャートに示した操作に従い、ＳＴＥＰ３２において浴室リモコン３２を選択し、ＳＴＥＰ３４において、図６に示すように浴室リモコン３２のスピーカ音量をレベル５に増音して、再度通話を試みたところ、今度は、浴室リモコン３２のスピーカ音声が入浴中の家族の耳に届き、返事が返ってきた。このとき、台所リモコン３１と洗面所リモコン３３とのスピーカ音量は、減音時間帯でのスピーカ音量（設定音量）であるレベル３とレベル２のままである。このあと、ユーザが浴室リモコン３２のスピーカ音量を減音時間帯でのスピーカ音量（設定音量）であるレベル４に戻すことを忘れていても、図５のＳＴＥＰ３５により、設定時間が経過した後、自動的に浴室リモコン３２のスピーカ音量はレベル４に戻る。
【００４１】
次に、図７を参照して、減音時間帯における異常発生時のスピーカ音量を増音する制御について説明する。なお、図７においては、リモコン毎に設定された減音時間帯にリモコン毎に設定されたスピーカ音量（設定音量）に減音する減音モードが選択されているものとして説明する。
【００４２】
まず、ＳＴＥＰ４１において、メインコントローラ２１は、給湯器２の異常運転検出手段（図示省略）により給湯器２の異常運転を検出したか否か、及びユーザにより緊急ボタン３ｆが押されたか否かを判断する。給湯器２の異常運転を検出せず、かつ緊急ボタン３ｆが押されていない場合は、そのまま今回の処理を終了する。
【００４３】
給湯器２の異常運転を検出した場合、または緊急ボタン３ｆが押された場合は、ＳＴＥＰ４２に進み、異常の発生を報知する。この際、現在減音時間帯であるリモコンがある場合には、メインコントローラ２１は、減音時間帯であるリモコンのスピーカ音量を増音して（例えば、通常時のスピーカ音量に増音して）、異常の発生を報知する。
【００４４】
次いで、ＳＴＥＰ４３に進み、メインコントローラ２１は、異常発生の報知時から所定時間が経過したこと、または、図示しない異常運転検出手段により給湯器２が正常運転に復帰したこと、または、ユーザの操作により緊急ボタン３ｆによる報知が解除されたことを確認すると、ＳＴＥＰ４４に進み、増音されたリモコンのスピーカ音量を減音時間帯でのスピーカ音量（設定音量）に戻す。そして、今回の処理を終了する。本実施形態においては、図７に示すフローチャートの処理を所定のサイクルタイムで実行する。また、本実施形態においては、ＳＴＥＰ４１〜ＳＴＥＰ４４が報知手段に該当する。
【００４５】
本実施形態のリモコンシステム１によれば、設定手段により各リモコン３１，３２，３３の設置環境に合わせて減音時間帯内でのスピーカ音量（設定音量）を設定することができるため、例えば、シャワーの音によりスピーカ音声が聞き取り難い浴室リモコン３２については、減音時間帯におけるスピーカ音量（設定音量）を他の台所リモコン３１、洗面所リモコン３３と比較して大きく設定し、台所リモコン３１、洗面所リモコン３３については、減音時間帯におけるスピーカ音量（設定音量）を小さく設定することができる。
【００４６】
また、各リモコン３１，３２，３３の設置場所によって、ユーザが各リモコン３１，３２，３３の設置場所付近に居る時間帯が異なる。しかし本実施形態のリモコンシステム１によれば、設定手段によりユーザが各リモコン３１，３２，３３の設置場所付近に居ない時間帯も考慮して、減音時間帯をリモコン毎に個別に設定できる。
【００４７】
また、リモコンが減音時間帯に入っているときに、例えば、浴室リモコン３２のスピーカ音声がシャワーなどの音に掻き消されて聞き取り難い場合は、指定手段により浴室リモコン３２をユーザの操作で指定することによって、増音手段により浴室リモコン３２のスピーカ音量を浴室で聞き取り易い音量に増音することができる。この場合、他の台所リモコン３１、洗面所リモコン３３のスピーカ音量は、減音時間帯でのスピーカ音量（設定音量）に減音されたままである。
【００４８】
また、指定したリモコンのスピーカ音量を増音したままで、音量を減音することをユーザが忘れた場合でも、復帰手段により自動的に元の減音時間帯でのスピーカ音量（設定音量）に戻すことができる。
【００４９】
これにより、音声機能の本来の効果を維持しつつ、騒音防止および消費電力の削減を図ることができる。
【００５０】
また、減音時間帯においては、スピーカ音量が減音されているため、ユーザが異常の発生を報知するスピーカ音声を聞き漏らすおそれもある。しかし本実施形態によれば、報知手段により減音時間帯内のリモコンのスピーカ音量を増音して（例えば通常時のスピーカ音量に増音して）異常の発生を報知するため、ユーザが報知を聞き取れる範囲が広がる。このため、異常の発生をユーザへ報知しやすくなり、迅速に対処しやすくなる。
【００５１】
なお、本実施形態においては、被制御機器として給湯器２を制御するリモコンシステム１について説明しているが、被制御機器は給湯器に限られず、他のものでもよい。また、本実施形態においては、減音時間帯におけるリモコンのスピーカ音量の増音方法として、図５に示すＳＴＥＰ３４において、ユーザが希望するスピーカ音量に増音できると説明したが、ＳＴＥＰ３４では、減音時間帯以外の時間帯である通常時のスピーカ音量に増音するようにしてもよい。
【００５２】
また、本実施形態においては、図５のＳＴＥＰ３１に示すように、メニューボタン３ｂを押して液晶画面３ａに表示された一覧から「音量変更」の項目を選択して、減音時間帯でのスピーカ音量（設定音量）を増音させる方法について説明しているが、これとは別に、例えば、各リモコン３１，３２，３３に「音量復帰ボタン」を設けて、このボタンを押すことにより、ボタンが押されたリモコンのスピーカ音量を所定の音量、例えば減音時間帯での設定音量より一定量増音した音量、または、通常時の音量に増音するようにしてもよい。この場合、音声復帰ボタンを押すことにより増音する制御は、指定手段および増音手段に該当することとなる。
【００５３】
また、本実施形態においては、図３に示すように、メインコントローラ２１が、各リモコン３１，３２，３３ごとに減音時間帯であるか否かを判断して、各リモコン３１，３２，３３のスピーカ音量を設定すると説明しているが、これに限られず、図３のＳＴＥＰ２〜ＳＴＥＰ４までの制御は台所リモコン３１の図示しないマイクロコンピュータにより、ＳＴＥＰ５〜ＳＴＥＰ７までの制御は浴室リモコン３２の図示しないマイクロコンピュータにより、ＳＴＥＰ８〜１０までの制御は洗面所リモコン３３の図示しないマイクロコンピュータにより行うようにしてもよい。この場合、ＳＴＥＰ１において減音モードが選択されていることを確認したメインコントローラ２１は、各リモコン３１，３２，３３にそれぞれの制御を行うように指示を出す。
【００５４】
また、本実施形態においては、図５に示すＳＴＥＰ３１〜ＳＴＥＰ３２で増音したいリモコンを指定し、指定したリモコンを増音するようにしているが、これに限られず、例えば、各リモコンに通話先のリモコンを指定して通話可能とする通話スイッチを設ける場合、この通話スイッチを押すことにより指定された通話先のリモコンのスピーカ音量のみを増音するようにしてもよい。この場合、通話スイッチが指定手段に該当する。
【図面の簡単な説明】
【００５５】
【図１】本実施形態の全体構成を示す模式図。
【図２】リモコンを示す説明図。
【図３】減音時間帯である場合と減音時間帯でない場合の各リモコンのスピーカ音量の制御を示すフローチャート。
【図４】各リモコンの減音時間帯とスピーカ音量とを設定する制御を示したフローチャート。
【図５】減音時間帯におけるリモコンのスピーカ音量を増音する制御を示すフローチャート。
【図６】減音時間帯におけるリモコンのスピーカ音量を増音した場合の音量変化の一例を示した説明図。
【図７】減音時間帯における異常発生時のスピーカ音量を増音する制御を示すフローチャート。
【符号の説明】
【００５６】
１…リモコンシステム、  ２…給湯器、  ２１…メインコントローラ、  ３１…台所リモコン、３２…浴室リモコン、  ３３…洗面所リモコン、  ３ａ…液晶画面、  ３ｂ…メニューボタン、  ３ｃ…切替／決定ボタン、  ３ｄ…ＵＰボタン、  ３ｅ…ＤＯＷＮボタン、  ３ｆ…緊急ボタン、  ３ｇ…スピーカ、  ３ｈ…マイク。
【図１】
2005151201.tif 000003
【図２】
2005151201.tif 000004
【図３】
2005151201.tif 000005
【図４】
2005151201.tif 000006
【図５】
2005151201.tif 000007
【図６】
2005151201.tif 000008
【図７】
2005151201.tif 000009